(57)【要約】【課題】  光ディスクのファイルシステムフォーマットの変換方法及びその装置を提供する。【解決手段】  （ａ）ＢＤＦＳフォーマットの管理情報領域を含む予約された領域の情報をＵＤＦのシステムファイルとして記録する段階と、（ｂ）  ＢＤＦＳフォーマットのファイルデータをＵＤＦのファイルデータに変換する段階とを含むことを特徴とする光ディスクに記録されたＢＤＦＳフォーマットをＵＤＦに変換する方法である。これにより、ＢＤＦＳファイルシステムフォーマットやＵＤＦファイルシステムフォーマットによる記録再生装置の間に互換性を保証しうる。【選択図】      図５ 
2005174345.tif 000002
【特許請求の範囲】
【請求項１】
所定の第１フォーマットのファイルシステムを汎用の第２フォーマットのファイルシステムに変換する方法において、
前記第１フォーマットのファイルシステムの管理情報領域を含む所定の予約された領域を前記第２フォーマットのファイルシステムのシステムデータとして記録する段階と、
前記第１フォーマットのファイルシステムのファイルデータを前記第２フォーマットのファイルシステムのファイルデータに変換する段階とを含むことを特徴とする変換方法。
【請求項２】
前記第１フォーマットのファイルシステムは、光ディスクに記録されたブルーレイディスクファイルシステム（ＢＤＦＳ）フォーマットのファイルシステムであり、前記第２フォーマットのファイルシステムは汎用ディスクフォーマット（ＵＤＦ）のファイルシステムであることを特徴とする請求項１に記載の変換方法。
【請求項３】
前記第２フォーマットのファイルシステムのシステムデータとして記録する段階は、前記ＢＤＦＳフォーマットの管理情報領域を前記ＢＤＦＳフォーマットの一般データ領域に移動して記録し、前記管理情報領域として使われた領域を他のファイルが使用できないように予約しておく段階であることを特徴とする請求項２に記載の変換方法。
【請求項４】
前記第２フォーマットのファイルシステムの一般ファイルデータに変換する段階は、
前記管理情報領域に記録された情報を解釈してＵＤＦのファイルシステム構造を生成する段階と、
前記ＵＤＦのファイルシステム内のファイルの制御情報が前記一般データ領域のファイルデータを参照するように連結する段階と、
前記ＵＤＦのボリューム構造を生成する段階と、
前記ＢＤＦＳフォーマットのファイルシステムと関連された情報を消去する段階とを含むことを特徴とする請求項２に記載の変換方法。
【請求項５】
汎用の第２フォーマットのファイルシステムを所定の第１フォーマットのファイルシステムに変換する方法において、
前記第２フォーマットのファイルシステムのシステムデータとして記録された前記第１フォーマットのファイルシステムの管理情報領域の情報をあらかじめ予約された所定の領域にコピーする段階と、
前記第２フォーマットのファイルシステムのファイルデータを前記第１フォーマットのファイルシステムのファイルデータに変換する段階とを含むことを特徴とする変換方法。
【請求項６】
前記第１フォーマットのファイルシステムは、光ディスクに記録されたＢＤＦＳフォーマットのファイルシステムであり、前記第２フォーマットのファイルシステムはＵＤＦフォーマットのファイルシステムであることを特徴とする請求項５に記載の変換方法。
【請求項７】
前記第１フォーマットのファイルシステムの管理情報領域の情報をあらかじめ予約された所定の領域にコピーする段階は、前記予約された所定の領域に前記ＢＤＦＳフォーマットの管理情報領域を生成し、前記ＵＤＦの管理情報を前記生成された管理情報領域にコピーする段階であることを特徴とする請求項６に記載の変換方法。
【請求項８】
前記第１フォーマットのファイルシステムのファイルデータに変換する段階は、
前記管理情報領域にファイル制御情報を生成する段階と、
前記ファイル制御情報が前記ＢＤＦＳフォーマットの一般データ領域のファイルデータを参照するように連結する段階と、
前記ＢＤＦＳフォーマットの前記管理情報領域の位置を指示するアンカー情報領域を生成する段階と、
前記ＵＤＦのファイルシステムと関連した情報を消去する段階とを含むことを特徴とする請求項６に記載の変換方法。
【請求項９】
光ディスクに記録されたＢＤＦＳフォーマットをＵＤＦに変換する方法において、
ファイルの割当て領域を開始オフセットと終了オフセットとを用いて割当て領域の位置、長さ、記録領域の長さ及び情報領域の長さに変換する段階と、
変換された割当て領域を用いて、前記ＢＤＦＳフォーマットのファイルデータを前記ＵＤＦのファイルデータに変換する段階とを含むことを特徴とする変換方法。
【請求項１０】
所定の第１フォーマットのファイルシステムと汎用の第２フォーマットのファイルシステムとの相互変換機能を提供する装置において、
前記第１フォーマットのファイルシステムの管理情報領域を含む所定の予約された領域を前記第２フォーマットのファイルシステムのシステムデータとして記録する手段と、
前記第１フォーマットのファイルシステムのファイルデータを前記第２フォーマットのファイルシステムのファイルデータに変換する手段と、
前記第２フォーマットのファイルシステムのファイルデータを前記第１フォーマットのファイルシステムのファイルデータに変換する手段とを含むことを特徴とする変換装置。
【請求項１１】
前記第１フォーマットのファイルシステムは、光ディスクに記録されたＢＤＦＳフォーマットのファイルシステムであり、前記第２フォーマットのファイルシステムはＵＤＦのファイルシステムであることを特徴とする請求項１０に記載の変換装置。
【発明の詳細な説明】
【技術分野】
【０００１】
本発明は光ディスクのファイルシステムに係り、特にブルーレイディスクに使われるファイルシステムであるブルーレイディスクファイルシステム（以下、ＢＤＦＳと称す）フォーマットと汎用ディスクフォーマットである汎用ディスクフォーマット（以下、ＵＤＦと称する）との変換方法及びその変換装置に関する。
【背景技術】
【０００２】
コンピュータでデータを記録するか、検索するためには、あらかじめハードディスクドライブ（ＨＤＤ）や光ディスクのような保存媒体にデータを読込み、書込み、検索するための準備をして置かねばならない。ファイルシステムは、その規則を整理しておいたものであって、ファイルに名前を付け、保存や検索のために論理的にファイルを何処に位置させるかなどを示す体系を意味する。ＤＯＳやＷｉｎｄｏｗｓ（登録商標）、ＯＳ／２、マッキントシュ、ユニックスのような運用体制はファイルシステムを備えている。Ｗｉｎｄｏｗｓ（登録商標）のＦＡＴ１６、ＦＡＴ３２、ＮＴＦＳなどやｌｉｎｕｘのｅｘｔ２、ｒａｉｓｅｒＦＳ、ｅｘｔ３などがその例である。
【０００３】
ファイルは、階層構造上のディレクトリ（Ｗｉｎｄｏｗｓ（登録商標）９５以降はフォルダ）またはサブディレクトリに置かれる。ファイルシステムは、ファイル名を付ける規則を有する。このような規則は、ファイル名の長さ制限、如何なる文字が使用できるかなどの規則が含まれ、幾つかのシステムでは、ファイル名拡張子の長さを制限することもある。ファイルシステムは、ディレクトリ構造を通じてファイルまでの経路を設定する形式を含む。
【０００４】
一方、光ディスクは、大容量のマルチメディアデータを記録できる保存媒体であって、ＤＶＤまたはブルーレイディスクなどが代表的な例である。ＤＶＤは、一般的にＵＤＦを使用してデータを保存するので、ＤＶＤ再生装置はもとより、ＵＤＦを使用するパソコン等でも読込み／書込みできる。
【０００５】
最近、開発中にあるブルーレイディスクの場合、２０ＧＢ以上のマルチメディアデータとＨＤ級の高画質映像を約２時間記録できる。しかし、ブルーレイディスクに動画像を記録する家電機器型ブルーレイディスク記録再生装置の場合、ＢＤＦＳフォーマットを使用してデータを記録する。したがって、ＵＤＦを使用するパソコンで動作する運用体制ではブルーレイディスクに保存されたファイルを読込めないか、書込めない問題点がある。パソコンの運用体制は、このようなＢＤＦＳフォーマットのファイルシステムを解釈できないからである。
【０００６】
また、ＢＤＦＳフォーマットによって記録されたデータを読込めないだけでなく、動画像データを記録した後の残りの記録空間を一般のパソコン用データを記録しうる空間として活用できないという問題点がある。
【発明の開示】
【発明が解決しようとする課題】
【０００７】
したがって、前述した問題点を解決するための本発明の技術的課題は、ブルーレイディスクに使われるファイルシステムであるＢＤＦＳフォーマットとＵＤＦとの変換方法及びその変換装置を提供することである。
【課題を解決するための手段】
【０００８】
本発明によって前述した技術的課題は、所定の第１フォーマットのファイルシステムを汎用の第２フォーマットのファイルシステムに変換する方法において、第１フォーマットのファイルシステムの管理情報領域を含む所定の予約された領域を第２フォーマットのファイルシステムのシステムデータとして記録する段階と、第１フォーマットのファイルシステムのファイルデータを第２フォーマットのファイルシステムのファイルデータに変換する段階と、を含むことを特徴とする変換方法により達成される。
【０００９】
また、前記第１フォーマットのファイルシステムは、光ディスクに記録されたＢＤＦＳフォーマットのファイルシステムであり、第２フォーマットのファイルシステムはＵＤＦのファイルシステムであることが望ましい。
【００１０】
また、前記第２フォーマットのファイルシステムのシステムデータとして記録する段階は、ＢＤＦＳフォーマットの管理情報領域をＢＤＦＳフォーマットの一般のデータ領域に移動して記録し、管理情報領域で使われた領域を他のファイルが使用できないように予約しておく段階であることが望ましい。
【００１１】
また、前記第２フォーマットのファイルシステムの一般のファイルデータに変換する段階は、管理情報領域に記録された情報を解釈してＵＤＦのファイルシステム構造を生成する段階と、ＵＤＦのファイルシステム内のファイルの制御情報が一般のデータ領域のファイルデータを参照するように連結する段階と、ＵＤＦのボリューム構造を生成する段階と、ＢＤＦＳフォーマットのファイルシステムと関連した情報を消去する段階と、を含むことが特に望ましい。
【００１２】
一方、本発明の他の分野によれば、前述した技術的課題は、汎用の第２フォーマットのファイルシステムを所定の第１フォーマットのファイルシステムに変換する方法において、第２フォーマットのファイルシステムのシステムデータとして記録された第１フォーマットのファイルシステムの管理情報領域の情報をあらかじめ予約された所定の領域にコピーする段階と、第２フォーマットのファイルシステムのファイルデータを第１フォーマットのファイルシステムのファイルデータに変換する段階と、を含むことを特徴とする変換方法により達成される。
【００１３】
また、前記第１フォーマットのファイルシステムの管理情報領域の情報をあらかじめ予約された所定の領域にコピーする段階は、予約された所定の領域にＢＤＦＳフォーマットの管理情報領域を生成し、ＵＤＦの管理情報を生成された管理情報領域にコピーする段階であることが望ましい。
【００１４】
また、前記第１フォーマットのファイルシステムのファイルデータに変換する段階は、管理情報領域にファイル制御情報を生成する段階と、ファイル制御情報がＢＤＦＳフォーマットの一般データ領域のファイルデータを参照するように連結する段階と、ＢＤＦＳフォーマットの管理情報領域の位置を指示するアンカー情報領域を生成する段階と、ＵＤＦのファイルシステムと関連した情報を消去する段階とを含むことが特に望ましい。
【００１５】
一方、本発明のさらに他の分野によれば、前述した技術的課題は、光ディスクに記録されたＢＤＦＳフォーマットをＵＤＦに変換する方法において、ファイルの割当て領域を開始オフセットと終了オフセットとを用いて割当て領域の位置、長さ、記録領域の長さ及び情報領域の長さに変換する段階と、変換された割当て領域を用いて、ＢＤＦＳフォーマットのファイルデータをＵＤＦのファイルデータに変換する段階と、を含むことを特徴とする変換方法によって達成される。
【００１６】
一方、本発明のさらに他の分野によれば、前述した技術的課題は、所定の第１フォーマットのファイルシステムと汎用の第２フォーマットのファイルシステムとの相互変換機能を提供する装置において、第１フォーマットのファイルシステムの管理情報領域を含む所定の予約された領域を第２フォーマットのファイルシステムのシステムデータとして記録する手段と、第１フォーマットのファイルシステムのファイルデータを第２フォーマットのファイルシステムのファイルデータに変換する手段と、第２フォーマットのファイルシステムのファイルデータを第１フォーマットのファイルシステムのファイルデータに変換する手段と、を含むことを特徴とする変換装置によって達成される。
【発明の効果】
【００１７】
本発明によれば、ブルーレイディスクに使われるファイルシステムであるＢＤＦＳフォーマットとＵＤＦとの変換方法及びその変換装置が提供される。
【００１８】
これにより、ＢＤＦＳのファイルシステムフォーマットやＵＤＦのファイルシステムフォーマットによる記録再生装置間に互換性を保証しうる。
【発明を実施するための最良の形態】
【００１９】
以下、添付した図面を参照して本発明によるファイルシステムフォーマットの変換方法及びその変換装置を詳細に説明する。
【００２０】
図１は、本発明によるファイルシステムフォーマットの変換装置を説明するための参考図である。
【００２１】
ディスクにファイルを記録するには、ディスク上に論理的なフォーマットであるシステムフォーマットを行わねばならない。従来の家電機器型ブルーレイディスク記録再生器でシステムフォーマットを行えば、ＢＤＦＳにフォーマットされ、一方、従来のＰＣの運用体制ではＵＤＦでフォーマットされる。したがって、家電機器型ブルーレイディスク記録再生器で記録された光ディスクは一般のＰＣで動作しない。ＰＣの運用体制は、ＢＤＦＳフォーマットのファイルを解釈できないからである。したがって、ＢＤＦＳファイルシステムフォーマットで記録された光ディスクは、ＵＤＦファイルシステムフォーマットに変換して初めて一般のＰＣでも読込み／書込みできる。
【００２２】
図１を参照するに、ＢＤＦＳファイルシステムフォーマットで記録された光ディスクをＵＤＦファイルシステムフォーマットに変換するか、逆にＵＤＦファイルシステムフォーマットで記録された光ディスクをＢＤＦＳファイルシステムフォーマットに変換するＵＤＦ／ＢＤＦＳファイル変換装置（以下、ファイル変換装置と称する）が図示されている。このファイル変換装置を用いてファイルシステムを変換して初めて、家電機器型ブルーレイディスク記録再生器とＰＣ用ブルーレイディスクドライブとの互換性が保証される。
【００２３】
以下では、ＢＤＦＳ及びＵＤＦファイルシステムを説明して相互変換方法を具体的に説明する。
【００２４】
図２は、ＢＤＦＳのフォーマットを説明するための図である。図２を参照するに、ＢＤＦＳファイルシステムフォーマットは、管理情報領域、アンカー情報領域とリアルタイムファイル及び一般のファイルデータ領域を含む。
【００２５】
管理情報領域（以下ＭＩＡと称する）は、ファイル及びディレクトリに関するファイルシステム制御情報を有し、ディスク上に主管理情報領域（ｍａｉｎ  ＭＩＡ）及び予約管理情報領域（ｒｅｓｅｒｖｅｄ  ＭＩＡ）として２つが記録されている。ＭＩＡは、ディスク上の３５３２８論理ブロックナンバー（以下ＬＢＮと称する）アドレスで８４４７９  ＬＢＮアドレス領域内に記録されている。ＬＢＮは、セクター単位である場合が一般的である。より具体的に、ＭＩＡにはファイル及びディレクトリに関するファイルシステム制御情報以外にも、３種に分類されるグループ１、グループ２、グループ３のファイルが記録されうる。また、予約管理情報領域の次のディスク上のアドレス８４４８９ＬＢＮから９２６７１  ＬＢＮまでの領域には、グループ４ファイルが記録される。グループ１及びグループ２には、ナビゲーションのためのファイルとしてプレイリストファイル及びクリップインフォメーションファイルなどが記録され、グループ３及びグループ４にはサムネイルナビゲーションデータやメニューなどのイメージファイルなどが記録される。具体的に、グループ１ないしグループ４には、ｉｎｆｏ．ｂｄａｖ、ｍｅｎｕ．ｔｉｄｘ、ｍｅｎｕ．ｔｄｔ１、ｍｅｎｕ．ｔｄｔ２、ｍａｒｋ．ｔｉｄｘ、ｍａｒｋ．ｔｄｔ１、ｍａｒｋ．ｔｄｔ２及びリアルプレイリスト、バーチュアルプレイリスト、クリップインフォメーションなどのファイルが記録されうる。
【００２６】
アンカー情報領域（ＡＩＡ）には、最近にアップデートされたＭＩＡの位置を示す情報が含まれる。ＡＩＡは、ディスクの開始部分と終了部分とに記録される。
【００２７】
リアルタイムファイル及び一般のファイルデータ領域（ｒｅａｌｔｉｍｅ  ｆｉｌｅ  ａｎｄ  ｎｏｒｍａｌ  ｆｉｌｅ  ｄａｔａ  ａｒｅａ）は、実際の動画像ファイルやその他の一般のデータファイルが記録される位置であって、ディスク上のアドレス９２６７２  ＬＢＮより最後のＬＢＮで３５３２８  ＬＢＮを差し引いた値に該当するアドレス領域に記録される。
【００２８】
一方、図３は、ＰＣで使用できるＵＤＦを説明するための図である。図３を参照するに、ＵＤＦファイルシステムフォーマットは、ＶＲＳ、ＶＤＳ、ＡＶＤＰ、ＦＳＤ、ＳＢＤとファイル及びディレクトリデータを含む。
【００２９】
ＶＲＳは、ボリューム認識シーケンスであって、光ディスクがＵＤＦファイルシステムフォーマットで記録されたことを表示する情報が入っている。ディスク上のアドレス１６  ＬＢＮから記録される。ＶＤＳは、ボリューム記述子シーケンス（Ｖｏｌｕｍｅ  Ｄｅｓｃｒｉｐｔｏｒ  Ｓｅｑｕｅｎｃｅ）であって、光ディスクのボリューム構造に関する情報が記録され、ディスク上の１６  ＬＢＮと２５６  ＬＢＮとの間の任意の値であるｐ  ＬＢＮの位置に記録される。ＶＤＳは、ファイル構造を記述する情報であるＦＳＤ（Ｆｉｌｅ  Ｓｅｔ  Ｄｅｓｃｒｉｐｔｏｒ）が記録された位置を示す。ＡＶＤＰは、アンカーボリューム記述子ポインタ（Ａｎｃｈｏｒ  Ｖｏｌｕｍｅ  Ｄｅｓｃｒｉｐｔｏｒ  Ｐｏｉｎｔｅｒ）であって、ＶＤＳの位置情報が記録され、ディスク上のアドレス２５６  ＬＢＮと最後のＬＢＮとの間に記録される。ＦＳＤ（Ｆｉｌｅ  Ｓｅｔ  Ｄｅｓｃｒｉｐｔｏｒ）は、ファイル構造を記述する情報であって、ファイルシステムのルートディレクトリが位置するアドレスが記録される。ＳＢＤ（Ｓｐａｃｅ  Ｂｉｔｍａｐ  Ｄｅｓｃｒｉｐｔｏｒ）は空間管理情報であって、ボリューム空間内の未割当て領域を一括的に管理する空間ビットマップ記述子が記録される。ファイル及びディレクトリデータは、一般のデータファイル及びディレクトリ情報を記録する領域であって、ディスク上のアドレスｒ  ＬＢＮ以後に記録される。
【００３０】
以下では、前述したＢＤＦＳフォーマットをＵＤＦに変換する方法を詳細に説明する。
【００３１】
図４は、本発明によってＢＤＦＳフォーマットをＵＤＦに変換する方法を説明するためのフローチャートである。図４を参照するに、ＢＤＦＳフォーマットをＵＤＦに変換するために、まずＢＤＦＳのグループ１ないしグループ４領域のデータをリアルタイムファイル及び一般のファイルデータ領域に移動する（４０２段階）。これにより、グループ１ないしグループ４領域に含まれたｉｎｆｏ．ｂｄａｖ、ｍｅｎｕ．ｔｉｄｘ、ｍｅｎｕ．ｔｄｔ１、ｍｅｎｕ．ｔｄｔ２、ｍａｒｋ．ｔｉｄｘ、ｍａｒｋ．ｔｄｔ１、ｍａｒｋ．ｔｄｔ２及びリアルプレイリスト、バーチュアルプレイリスト、クリップインフォメーションなどのファイルがリアルタイムファイル及び一般のファイルデータ領域に移動する。
【００３２】
次いで、ＵＤＦファイルシステム構造を生成する（４０４段階）。すなわち、ＵＤＦのファイル構造記述情報であるＦＳＤの位置であるｑに５１２を割り当て、ＦＳＤを生成する。また、ＢＤＦＳのＭＩＡの情報を解釈し、リアルタイムファイル及び一般のファイルデータ領域のファイルのファイル割当情報（ｆｉｌｅ  ｅｘｔｅｎｔ  ｉｎｆｏｒｍａｔｉｏｎ）を解釈してＵＤＦの空間管理情報であるＳＢＤを生成する。
【００３３】
次いで、ＵＤＦファイルシステムのディレクトリ形式にＢＤＡＶディレクトリを生成する（４０６段階）。すなわち、ＵＤＦの一般ファイル及びディレクトリデータ領域にルートディレクトリ情報とシステムストリームディレクトリ情報とを生成する。また、ＢＤＦＳファイルシステムフォーマットでＭＩＡとグループ４領域とに使われた３５３２８  ＬＢＮから９２６７１  ＬＢＮまでの領域をＵＤＦファイルシステムフォーマットで他のファイルが使用されないように予約しておくために、特殊なシステムファイル（例えば、ＢＤＦＳ＿Ｒｅｓｅｒｖｅｄ．ｓｙｓ）を生成して前述した領域に割当てる。
【００３４】
次いで、ＵＤＦファイルシステム構造形式で作成されたＢＤＡＶディレクトリ内のファイルのファイル制御情報が、リアルタイムファイル及び一般ファイルデータ領域のＢＤＡＶディレクトリファイルデータを参照するように連結させる（４０８段階）。すなわち、変換されたＵＤＦファイルシステムフォーマットのＢＤＡＶディレクトリ内のデータファイルが元のＢＤＦＳファイルシステムフォーマットのＢＤＡＶディレクトリ内のリアルタイム動画像ファイルや一般データファイルを参照するようになって、既存のデータファイルも読込めるように変換される。これにより、変換されたＵＤＦファイルシステムの一般ファイル及びディレクトリデータ領域には、ＵＤＦファイルシステムフォーマットのｒ  ＬＢＮにルートディレクトリが存在し、ＭＩＡとグループ４の領域とを使用できないように特殊なシステムファイル（例えれば、ＢＤＦＳ＿Ｒｅｓｅｒｖｅｄ．ｓｙｓ）が存在する。また、グループ１ないしグループ４領域に記録されたｉｎｆｏ．ｂｄａｖ、ｍｅｎｕ．ｔｉｄｘ、ｍｅｎｕ．ｔｄｔ１、ｍｅｎｕ．ｔｄｔ２、ｍａｒｋ．ｔｉｄｘ、ｍａｒｋ．ｔｄｔ１、ｍａｒｋ．ｔｄｔ２及びリアルプレイリスト、バーチュアルプレイリスト、クリップインフォメーションなどのファイルのファイル制御情報（Ｉｎｆｏｒｍａｔｉｏｎ  Ｃｏｎｔｒｏｌ  Ｂｌｏｃｋ：以下ＩＣＢと称する）が存在し、ＢＤＡＶディレクトリのファイル制御情報と以下のサブディレクトリのファイル制御情報及びディレクトリデータが存在する。
【００３５】
次いで、ＵＤＦボリューム構造を生成する（４１０段階）。すなわち、ディスク上のアドレス１６  ＬＢＮ領域にＵＤＦファイルシステムフォーマットであることを知らせるボリューム認識シーケンス（ＶＲＳ）を生成する。また、ディスク上のアドレス５１２  ＬＢＮ以前の領域に任意のｐ  ＬＢＮを割当ててボリューム構造を記述するＶＤＳを生成する。また、２５６  ＬＢＮと最後のＬＢＮとに光ディスクのボリューム構造に関する情報であるＶＤＳが何処に存在しているかを指示する位置情報であるＡＶＤＰを生成する。
【００３６】
最後に、ＢＤＦＳファイルシステム関連情報を消去する（４１２段階）。これにより、ブルーレイディスクの記録再生装置で変更されたＢＤＦＳファイルシステムの存在を認識できなくして、変換されたファイルシステムの混乱やこれによるエラーの発生を防止しうる。
【００３７】
前述したＢＤＦＳファイルシステムフォーマットをＵＤＦファイルシステムフォーマットに変換する方法を細分して整理すると次のようである。
１）  ＢＤＦＳのグループ１ないしグループ４領域のファイル（ｉｎｆｏ．ｂｄａｖ、ｍｅｎｕ．ｔｉｄｘ、ｍｅｎｕ．ｔｄｔ１、ｍｅｎｕ．ｔｄｔ２、ｍａｒｋ．ｔｉｄｘ、ｍａｒｋ．ｔｄｔ１、ｍａｒｋ．ｔｄｔ２及びリアルプレイリスト、仮想プレイリスト、クリップインフォメーションファイル）をリアルタイムファイルと一般ファイルデータ領域に移動させる。
２）  ＵＤＦのｑ  ＬＢＮに５１２アドレスを割り当てる。
３）  ＵＤＦのＦＳＤを生成する。
４）  ＭＩＡの管理情報を解釈してリアルタイムファイル及び一般ファイルデータ領域のファイルの割当て領域を解釈する。
５）  ＵＤＦのＳＢＤを生成し、４）段階で解釈された割当て領域をＳＢＤ内に割り当てられたセクター情報として表示する。
６）  ＵＤＦのファイルとディレクトリデータ領域にルートディレクトリ情報とシステムストリームディレクトリ情報とを生成する。
７）  ＢＤＦＳファイルシステムフォーマットでのＭＩＡとグループ４のファイル保存領域とで使われた３５３２８  ＬＢＮから９２６７１  ＬＢＮまでの領域に特殊なシステムファイル（例えば、ＢＤＦＳ＿Ｒｅｓｅｒｖｅｄ．Ｓｙｓ）を生成して割り当ててＵＤＦで他のファイルが使用できないようにする。
８）  ＭＩＡの情報を解釈してリアルタイムファイル及び一般ファイルデータ領域のファイルとディレクトリ情報とをＵＤＦのファイルとディレクトリデータ領域に変換して記録する。この際、ＵＤＦ上の生成されたファイル制御情報のうちファイルの割当て領域は、ＢＤＦＳフォーマットのリアルタイムファイルと一般ファイルデータ領域に保存されたデータの割当て領域のアドレスを参照するように連結する。
【００３８】
したがって、ＵＤＦのｒ  ＬＢＮにルートディレクトリが存在し、ＭＩＡとグループ４領域とを使用できなくした特殊なシステムファイル（例えば、ＢＤＦＳ＿Ｒｅｓｅｒｖｅｄ．Ｓｙｓ）、また、ｉｎｆｏ．ｂｄａｖ、ｍｅｎｕ．ｔｉｄｘ、ｍｅｎｕ．ｔｄｔ１、ｍｅｎｕ．ｔｄｔ２、ｍａｒｋ．ｔｉｄｘ、ｍａｒｋ．ｔｄｔ１、ｍａｒｋ．ｔｄｔ２及びリアルプレイリスト、仮想プレイリスト、クリップインフォメーションファイルなどのファイル制御情報（ＩＣＢ）及びＢＤＡＶディレクトリのＩＣＢと以下のサブディレクトリのＩＣＢ及びディレクトリデータが存在するようになる。
【００３９】
９）  １６  ＬＢＮにＶＲＳを生成する。
１０）  ５１２  ＬＢＮの以前にｐ  ＬＢＮを割り当ててＶＤＳを生成する。
１１）  ２５６  ＬＢＮと最後のＬＢＮとにＡＶＤＰを生成する。
１２）  他の再生装置で変更されたＢＤＦＳファイルシステムの存在を認識できないようにＢＤＦＳファイルシステム関連情報を除去する。
【００４０】
図５は、ＢＤＦＳフォーマットをＵＤＦに変換した結果を説明するための図である。図５を参照するに、ディスク上のアドレス１６  ＬＢＮ領域にはＵＤＦファイルシステムフォーマットであることを示すＶＲＳが記録され、２５６  ＬＢＮ以前の任意のｐ  ＬＢＮ領域には、ボリューム構造についての情報を記述したＶＤＳが記録され、２５６  ＬＢＮ領域と最後のＬＢＮ領域とにはＶＤＳの位置を指示する情報であるＡＶＤＰが記録される。
【００４１】
また５１２  ＬＢＮから最後のＬＢＮ以前までのＵＤＦパーティション領域にはＵＤＦファイルシステムのファイル構造及び割当て情報を含むＦＳＤ及びＳＢＤが記録され、ｒ  ＬＢＮ領域にルートディレクトリのＩＣＢ及びシステムストリームディレクトリのＩＣＢが記録され、残りの領域には特殊システムファイルであるＢＤＦＳ＿Ｒｅｓｅｒｖｅｄ．Ｓｙｓのファイル制御情報及び変換以前のＢＤＦＳのグループ１ないしグループ４に保存されているｉｎｆｏ．ｂｄａｖ、ｍｅｎｕ．ｔｉｄｘなどのナビゲーション及びイメージ関連ファイルやＢＤＡＶディレクトリのファイル制御情報などが記録される。
【００４２】
３５３２８  ＬＢＮから９２６７２  ＬＢＮまでの領域は、特殊システムファイルが記録されて、ＵＤＦの他のファイルらが接近できないようにする。実際にリアルタイムデータ及び一般データは、９２６７２  ＬＢＮ領域以後に記録されている。
【００４３】
以下では、逆にＵＤＦをＢＤＦＳフォーマットに変換する方法を詳細に説明する。
【００４４】
図６は、本発明によってＵＤＦをＢＤＦＳフォーマットに変換する方法を説明するためのフローチャートである。図６を参照するに、ＵＤＦをＢＤＦＳフォーマットに変換するために、まず、ＢＤＦＳ  Ｒｅｓｅｒｖｅｄ．Ｓｙｓ領域にＢＤＦＳのためのＭＩＡとグループ４領域とを生成する（６０２段階）。次いで、ＵＤＦファイルシステム内のＢＤＡＶと関連したグループ１ないしグループ４のファイルを６０２段階で生成したＭＩＡとグループ４領域とにコピーする（６０４段階）。次いで、ＭＩＡの管理情報内にリアルタイムファイルの制御情報（ＩＣＢ）を生成する（６０６段階）。また、ＭＩＡの管理情報内にリアルタイムファイルの制御情報でＵＤＦファイルシステム構造形式で記録されたＢＤＡＶディレクトリ内のファイルの領域を参照するように連結する（６０８段階）。次いで、ＡＩＡを生成し（６１０段階）、ＵＤＦファイルシステム関連情報を消去する（６１２段階）。
【００４５】
前述したＵＤＦファイルシステムフォーマットをＢＤＦＳファイルシステムフォーマットに変換する方法を整理すると次の通りである。
１）  ＢＤＦＳ  Ｒｅｓｅｒｖｅｄ領域である３５３２８  ＬＢＮから９２６７１  ＬＢＮまでの領域にＭＩＡデータとグループ４領域とを生成する。
２）  ＵＤＦパーティション領域内のＢＤＡＶディレクトリ構造をＢＤＦＳ  Ｒｅｓｅｒｖｅｄ領域にＭＩＡ内の管理情報に変換してコピーする。
３）  ＵＤＦパーティション領域内のグループ１ないしグループ４領域のファイル（ｉｎｆｏ．ｂｄａｖ、ｍｅｎｕ．ｔｉｄｘ、ｍｅｎｕ．ｔｄｔ１、ｍｅｎｕ．ｔｄｔ２、ｍａｒｋ．ｔｉｄｘ、ｍａｒｋ．ｔｄｔ１、ｍａｒｋ．ｔｄｔ２及びリアルプレイリスト、仮想プレイリスト、クリップインフォメーションファイル）の構造とＢＤＡＶディレクトリ構造をＢＤＦＳ  Ｒｅｓｅｒｖｅｄ領域にＢＤＦＳ形式に合わせてコピーする。
４）  ＢＤＦＳ  ＲｅｓｅｒｖｅｄのＭＩＡ内の管理情報にＵＤＦパーティション領域に存在するｍ２ｔｓ、ｄｖｓｄファイル（Ｒｅａｌ−ｔｉｍｅ  ｆｉｌｅ）のファイル制御情報を生成し、このファイル制御情報がＵＤＦファイルシステムのファイルとディレクトリデータ領域に保存されたデータのアドレスを参照するように連結する。
５）  ＡＩＡを生成する。
６）  他の再生装置が変更されたＵＤＦファイルシステムの存在を認識できないようにＵＤＦ情報を除去する。
【００４６】
図７は、ＵＤＦ及びＢＤＦＳフォーマットで使われるルートディレクトリの構造を説明するための図である。図７を参照するに、ルートディレクトリのＢＤＡＶディレクトリは、グループ１ないしグループ４領域に保存される管理情報を保存したｉｎｆｏ．ｂｄａｖディレクトリとリアルプレイリスト及び仮想プレイリストを含むＰＬＡＹＬＩＳＴディレクトリ、そしてクリップインフォメーションファイルを含むＣＬＩＰＩＮＦディレクトリ及び実際動画像ファイルが記録されたＳＴＲＥＡＭディレクトリを含む。
【００４７】
以下では、ＢＤＦＳフォーマットのファイルシステムで使われるファイルのタイプをＵＤＦのファイルシステムで使われるファイルのタイプに変換する方法を説明する。
【００４８】
従来のＢＤＦＳファイルシステムフォーマットでリアルタイム記録再生ファイルであることを表示するファイルタイプ情報に対応し、変換されたＵＤＦファイルシステムフォーマットではファイル制御情報であるＩＣＢのタグに２４９という値を設定することによって、リアルタイム記録再生ファイルタイプであることを示し得る。
【００４９】
以下では、ＢＤＦＳフォーマットのファイルシステムで具現されるファイル割当て領域情報（ｆｉｌｅ  ｅｘｔｅｎｔ  ｉｎｆｏｒｍａｔｉｏｎ）をＵＤＦのファイルシステムで使われるファイル割当て領域情報に変換する方法を説明する。
【００５０】
図８は、ＩＣＢに含まれたファイル割当て領域情報を説明するための図である。図８を参照するに、ＩＣＢは、各ファイルデータの開始位置と各ファイルデータの割当て領域の大きさに関する情報を含む。すなわち、ＩＣＢを通じてファイルデータが記録された位置とファイルの大きさとが分かる。
【００５１】
図９は、ＢＤＦＳフォーマットのファイル割当情報を示す図である。
【００５２】
ＵＤＦファイルシステムフォーマットでは、セクター単位でファイル割当て領域を指定し、一方、ＢＤＦＳファイルシステムフォーマットではバイト単位までファイル割当て領域を指定する。図９を参照するに、ＢＤＦＳファイルシステムフォーマットでは、バイト単位のファイル割当てのために開始論理ブロックナンバーと終了論理ブロックナンバー以外に開始オフセットと終了オフセット情報とをさらに含む。
【００５３】
図１０は、本発明による変換されたＵＤＦのファイル割当情報を示す図である。図１０を参照するに、変換されたＵＤＦファイルシステムフォーマットでは従来のＢＤＦＳファイルシステムフォーマットのファイル割当て領域情報を表現するために、割当て領域長さ（Ｅｘｔｅｎｔｌｅｎｇｔｈ）、記録領域長さ（Ｒｅｃｏｒｄｅｄｌｅｎｇｔｈ）、情報領域長さ（Ｉｎｆｏｒｍａｔｉｏｎｌｅｎｇｔｈ）を利用する。
【００５４】
図１１は本発明による変換されたＵＤＦのファイル割当情報を具現するためのＥＣＭＡ  １６７規格の拡張割当て記述子（Ｅｘｔｅｎｄｅｄ  Ａｌｌｏｃａｔｉｏｎ  Ｄｅｓｃｒｉｐｔｏｒ）を表した図である。図１１を参照するに、割当て領域長さ（Ｅｘｔｅｎｔ  ｌｅｎｇｔｈ）、記録領域長（Ｒｅｃｏｒｄｅｄ  ｌｅｎｇｔｈ）、情報領域長（Ｉｎｆｏｒｍａｔｉｏｎ  ｌｅｎｇｔｈ）、割当て領域位置（Ｅｘｔｅｎｔ  ｌｏｃａｔｉｏｎ）などの拡張割当て記述子が図示されている。
【００５５】
以下では、前述した拡張割当て記述子を用いてＢＤＦＳファイルシステムフォーマットのファイル割当て領域情報をＵＤＦファイルシステムフォーマットのファイル割当て領域情報に変換する方法を説明する。
【００５６】
図１２は、本発明によって変換されたＵＤＦのファイル割当情報を変換する方法を説明するためのフローチャートである。図１２を参照するに、ファイル割当て領域情報をＵＤＦに変換するために、まず、ＢＤＦＳフォーマットのファイルの割当て領域の開始ブロックナンバーを読込み、ＵＤＦの割当て領域位置情報に変換する（１２０２段階）。次いで、ＢＤＦＳフォーマットのファイルの割当て領域の開始ブロックナンバー、終了ブロックナンバーと終了オフセットを読込んでＵＤＦの割当て領域長さ情報に変換する（１２０４段階）。次いで、ＢＤＦＳフォーマットの割当て領域の開始ブロックナンバー、終了ブロックナンバーと終了オフセットを読込んでＵＤＦの記録領域長情報に変換する（１２０６段階）。最後に、ＢＤＦＳフォーマットの割当て領域の開始ブロックナンバー、終了ブロックナンバーと開始オフセット及び終了オフセットを読込んでＵＤＦの情報領域長情報に変換する（１２０６段階）。
【００５７】
これにより、前述した図９のＢＤＦＳフォーマットのファイルの割当て領域を図１０のＵＤＦのファイルの割当て領域に変換して表現しうる。
【００５８】
一方、本発明によるファイル変換方法は、コンピュータプログラムで作成可能である。前記プログラムを構成するコード及びコードセグメントは当該分野のコンピュータプログラマーによって容易に推論されうる。また、前記プログラムは、コンピュータ可読情報保存媒体に保存され、コンピュータによって読込まれて実行されることによって、ファイル変換方法を具現する。前記情報保存媒体は、磁気記録媒体、光記録媒体及びキャリアウェーブ媒体を含む。
【００５９】
以上、本発明についてその望ましい実施例を中心に説明した。本発明が属する技術分野で当業者ならば、本発明が本発明の本質的な特性から外れない範囲で変形された形態に具現可能であることが理解できるであろう。したがって、開示された実施例は限定的な観点でなく、説明的な観点で考慮されねばならない。本発明の範囲は、前述した説明でなく、特許請求の範囲に現れており、それと同等な範囲内にあるあらゆる違いは本発明に含まれたものと解釈されねばならない。
【産業上の利用可能性】
【００６０】
本発明は光ディスク再生装置に適用できるものであって、ブルーレイディスクに使われるファイルシステムであるＢＤＦＳフォーマットとＵＤＦとの変換方法及びその変換装置に係る技術分野に適用されうる。
【図面の簡単な説明】
【００６１】
【図１】本発明によるファイルシステムフォーマットの変換装置を説明するための参考図である。
【図２】ＢＤＦＳのフォーマットを説明するための図である。
【図３】パソコンで使われるＵＤＦを説明するための図である。
【図４】本発明によってＢＤＦＳフォーマットをＵＤＦに変換する方法を説明するためのフローチャートである。
【図５】本発明によってＢＤＦＳフォーマットをＵＤＦに変換した結果を説明するための図である。
【図６】本発明によってＵＤＦをＢＤＦＳフォーマットに変換する方法を説明するためのフローチャートである。
【図７】ＵＤＦ及びＢＤＦＳフォーマットで使われるルートディレクトリの構造を説明するための図である。
【図８】ＩＣＢに含まれたファイル割当て領域情報を説明するための図である。
【図９】ＢＤＦＳフォーマットのファイル割当て領域情報を示す図である。
【図１０】本発明による変換されたＵＤＦのファイル割当て領域情報を示す図である。
【図１１】本発明による変換されたＵＤＦのファイル割当て領域情報を具現するためのＥＣＭＡ  １６７規格の拡張割当て記述子を示す図である。
【図１２】本発明によって変換されたＵＤＦのファイル割当て領域情報を変換する方法を説明するためのフローチャートである。
【図１】
2005174345.tif 000003
【図２】
2005174345.tif 000004
【図３】
2005174345.tif 000005
【図４】
2005174345.tif 000006
【図５】
2005174345.tif 000007
【図６】
2005174345.tif 000008
【図７】
2005174345.tif 000009
【図８】
2005174345.tif 000010
【図９】
2005174345.tif 000011
【図１０】
2005174345.tif 000012
【図１１】
2005174345.tif 000013
【図１２】
2005174345.tif 000014